(57)【要約】      （修正有）【課題】コストが低く、構造が合理的であり、全体的に美しくてコンパクトであり、占用面積が小さく、操作が簡単であり、使い易いだけではなく、タッチパネルが、入出力、遠隔送受信を一体に集約した機能を有する組み込み式タッチ型ＰＯＳ機器を提供する。【解決手段】入出力、遠隔送受信及び印刷を一体に集約した組み込み式タッチ型ＰＯＳ機器は、タッチパネル１と、プリンターと、取付ラックとを含み、取付ラックは、横向き板と縦向き板とからなる箱形ラック体３１と、箱形ラック体３１の頂部に架設された可動ラック蓋３２とを含み、タッチパネル１はラック蓋３２の頂面に設置され、印刷ヘッド２１はラック蓋３２の底面の一側に設置され、印刷本体２２と印刷紙ロールはラック体３１の横向き板上に設置され、印刷メインボード２４はラック体の横向き板の底面に設置され、ラック蓋３２がラック体３１に係合するとき、印刷本体２２は印刷ヘッド２１の直下に位置する。【選択図】図５
0003199311.tif 000002
【実用新案登録請求の範囲】
【請求項１】
タッチパネルと、印刷ヘッド、印刷本体、印刷紙ロール及び印刷メインボードを含むプリンターとを含む組み込み式タッチ型ＰＯＳ機器であって、
前記ＰＯＳ機器は、横向き板と縦向き板とからなる箱形ラック体と、箱形ラック体の頂部に架設された可動ラック蓋とを含む取付ラックをさらに含み、
前記タッチパネルはラック蓋の頂面に設置され、前記印刷ヘッドはラック蓋の底面の一側に設置され、前記印刷本体と印刷紙ロールはラック体の横向き板上に設置され、前記印刷メインボードはラック体の横向き板の底面に設置され、
ラック蓋がラック体に係合するとき、印刷本体は印刷ヘッドの直下に位置することを特徴とする、組み込み式タッチ型ＰＯＳ機器。
【請求項２】
前記タッチパネルは、電源モジュール、無線送受信モジュール、情報データ処理モジュール、情報データ記憶モジュール、情報入出力モジュール、音声モジュール、提示ランプモジュール、表示モジュール及びタッチモジュールを含み、
情報出力モジュールが印刷メインボードに接続することを特徴とする、請求項１に記載の組み込み式タッチ型ＰＯＳ機器。
【請求項３】
前記印刷メインボードは、電源モジュール、データ処理モジュール、データ通信モジュール、データ記憶モジュール、モータ駆動モジュール、印刷ヘッド駆動モジュール、自動カッター駆動モジュール、音声注意モジュール、センサ入力モジュール、ＵＳＢ・ネットワーク拡張モジュール及びキャッシュドロアー駆動モジュールを含むことを特徴とする、請求項１に記載の組み込み式タッチ型ＰＯＳ機器。
【請求項４】
前記可動ラック蓋は一側辺で箱形ラック体の１つの縦向き板の頂部にヒンジで連結するように反転可能なラック蓋を形成し、前記印刷ヘッドはラック蓋のヒンジ連結辺に対向する側に位置することを特徴とする、請求項２または３に記載の組み込み式タッチ型ＰＯＳ機器。
【請求項５】
前記ラック体の横向き板の底面は、印刷メインボードの外周に下方へ延出する縦向き側壁を有し、縦向き側壁にはＰＯＳ機器の周辺装置のインターフェース及びリード線用孔が設けられ、周辺装置のインターフェースが設置される縦向き側壁は、ラック蓋がヒンジで連結されるラック体の縦向き板と同一方向を有することを特徴とする、請求項４に記載の組み込み式タッチ型ＰＯＳ機器。
【請求項６】
前記ラック体の縦向き側板は３枚を有し、そのうちの１枚は、ラック蓋にヒンジで連結するヒンジ連結板であり、ほかの２枚はヒンジ連結板に垂直する左右側板であり、左右側板は横向き板よりも長さが小さく、左右側板の頂部は、ヒンジ連結点から離れた方向に向って低くなる斜面を有することを特徴とする、請求項５に記載の組み込み式タッチ型ＰＯＳ機器。
【請求項７】
前記タッチパネルは縦向きの視認角度を呈し、即ち、表示パネルの上下側辺の長さは左右側辺の長さより小さいことを特徴とする、請求項６に記載の組み込み式タッチ型ＰＯＳ機器。
【請求項８】
前記箱型ラック体にはプラスチック製中部枠が嵌められ、当該プラスチック製中部枠には、印刷紙ロールを収容するための凹み室と、印刷本体を内蔵するための四角い穴が設けられ、プラスチック製中部枠の頂部には、箱形ラック体の縦向き板の頂部と横向き板に架設可能な外方反り縁が設けられることを特徴とする、請求項７に記載の組み込み式タッチ型ＰＯＳ機器。
【請求項９】
前記ラックの横向き板の自由端は前下方に折り曲げられて傾斜する支持面を形成し、印刷本体とラックの横向き板の間には印刷本体ホルダが設けられることを特徴とする、請求項８に記載の組み込み式タッチ型ＰＯＳ機器。
【請求項１０】
前記ラックの横向き板の底面には「Ｕ」型金属製台座が設けられ、印刷メインボードは金属製台座内に位置することを特徴とする、請求項９に記載の組み込み式タッチ型ＰＯＳ機器。
【請求項１１】
前記箱型ラック外にはプラスチック製台座が嵌められ、当該プラスチック製台座は、底部がくりぬかれ、側面に周辺装置のインターフェースを用意することを特徴とする、請求項１０に記載の組み込み式タッチ型ＰＯＳ機器。
【考案の詳細な説明】
【技術分野】
【０００１】
本実用新案は取引決済設備に関し、特に飲食業又はスーパーマーケットの注文、発注又は勘定決済に用いられるＰＯＳ機器に関し、より具体的には、入出力、遠隔送受信及び印刷を一体に集約した組み込み式タッチ型ＰＯＳ機器に関する。
【背景技術】
【０００２】
現在、都会生活のリズムがますます速くなり、人々の生活に密接に関連するコンビニ、スーパーマーケット又はレストランにおいて、その場で購入しなければならない商品以外、人々は一般に、電話予約・業者配達の方式を通じて商品の購入を実現する。電話予約の場合、購入者と業者が予約の対象商品のみに対して情報の提供・フィードバックを行うため、購入者は業者のほかの商品を全面的に漁ることができない。インターネットの普及及び電子商取引の出現につれて、より多くの業者はインターネットフラットホームを介して販売ルートを広げている。これは、インターネットユーザーに商品やサービスを予約する新たな選択を提供している。現在のネット販売のモードでは、業者はコロケーションによってバックステージ管理を行うことができるが、フォアステージには、インターネットを訪問できる卓上コンピュータを配置する必要がある。資金が少なく、営業面積が小さい小型業者にとって、卓上コンピュータの配置は、コストを上げるだけではなく、大きい操作空間を要する。また、これら小型業者の従業員の多くはコンピュータ操作にあまり詳しくない。組込みシステムは、被制御デバイス内部に完全に組み込まれ、特定の応用のために設計される専用コンピュータシステムである。その核心は、プレプログラミングされ少数の任務を実行するマイクロプロセッサ又はＭＣＵからなる。設計者はそれを適切化することで、寸法を小さくし、コストを低減し、操作を簡略化することができる。組み込みシステム及びタッチパネルの応用普及につれて、飲食業又はスーパーマーケットのフロントに設置されて注文、発注又は勘定決済に用いられる卓上コンピュータを、体積が小さく、コストが低く、操作が簡単であるＰＯＳ機器に設計することは可能になっている。
【考案の概要】
【考案が解決しようとする課題】
【０００３】
本実用新案の目的は、構造が合理的であり、全体的安定性がよく、入出力、遠隔送受信及び印刷を一体に集約した組み込み式タッチ型ＰＯＳ機器を提供することである。当該ＰＯＳ機器は、操作が簡単であり、占用空間が小さく、かつコストが低い。
【課題を解決するための手段】
【０００４】
上記目的を実現するために、本実用新案による組み込み式タッチ型ＰＯＳ機器は、タッチパネルと、印刷ヘッド、印刷本体、印刷紙ロール及び印刷メインボードを含むプリンターとを含む組み込み式タッチ型ＰＯＳ機器であって、前記ＰＯＳ機器は、横向き板と縦向き板とからなる箱形ラック体と、箱形ラック体の頂部に架設された可動ラック蓋とを含む取付ラックをさらに含み、前記タッチパネルはラック蓋の頂面に設置され、前記印刷ヘッドはラック蓋の底面の一側に設置され、前記印刷本体と印刷紙ロールはラック体の横向き板上に設置され、前記印刷メインボードはラック体の横向き板の底面に設置され、ラック蓋がラック体に係合するとき、印刷本体は印刷ヘッドの直下に位置することを特徴とする。
【０００５】
前記タッチパネルは、電源モジュール、無線送受信モジュール、情報データ処理モジュール、情報データ記憶モジュール、情報入出力モジュール、タッチモジュール、音声モジュール、提示ランプモジュール及び表示モジュールを含み、情報出力モジュールが印刷メインボードに接続する。
【０００６】
前記印刷メインボードは、電源モジュール、データ処理モジュール、データ通信モジュール、データ記憶モジュール、モータ駆動モジュール、印刷ヘッド駆動モジュール、自動カッター駆動モジュール、音声注意モジュール、センサ入力モジュール、ＵＳＢ・ネットワーク拡張モジュール及びキャッシュドロアー駆動モジュールを含む。
【０００７】
前記可動ラック蓋は一側辺で箱形ラック体の１つの縦向き板の頂部にヒンジで連結するように反転可能なラック蓋を形成し、前記印刷ヘッドはラック蓋のヒンジ連結辺に対向する側に位置する。
【０００８】
前記ラック体の横向き板の底面は、印刷メインボードの外周に下方へ延出する縦向き側壁を有し、縦向き側壁にはＰＯＳ機器の周辺装置のインターフェース及びリード線用孔が設けられる。
【０００９】
周辺装置との接続を容易にするために、周辺装置のインターフェースが設置される縦向き側壁は、ラック蓋がヒンジで連結されるラック体の縦向き板と同一方向を有する。
【００１０】
印刷本体のメンテナンスと取り外しを容易にするために、前記ラック体の縦向き側板は３枚を有し、そのうちの１枚は、ラック蓋にヒンジで連結するヒンジ連結板であり、ほかの２枚はヒンジ連結板に垂直する左右側板であり、左右側板は横向き板よりも長さが小さい。
【００１１】
タッチパネルが適切な視認角度を有するようにするために、前記ラック体の左右側板の頂部は、ヒンジ連結点から離れた方向に向って低くなる斜面を有する。
【００１２】
ＰＯＳ機器が精巧に見えるようにするために、前記タッチパネルは縦向きの視認角度を呈し、即ち、表示パネルの上下側辺の長さは左右側辺の長さより小さい。
【００１３】
印刷本体と紙ロールをラックの箱型ラック体に容易に取付けるために、前記箱型ラック体にはプラスチック製中部枠が嵌められ、当該プラスチック製中部枠には、印刷紙ロールを収容するための凹み室と、印刷本体を内蔵するための四角い穴が設けられ、プラスチック製中部枠の頂部には、箱形ラック体の縦向き板の頂部と横向き板に架設可能な外方反り縁が設けられる。
【００１４】
印刷本体の傾斜角度を印刷ヘッドによりよくあわせるために、前記ラックの横向き板の自由端は前下方に折り曲げられて傾斜する支持面を形成し、印刷本体とラックの横向き板の間には印刷本体ホルダが設けられる。
【００１５】
印刷メインボードをよりよく保護して各部品をよりよく遮蔽するために、前記ラックの横向き板の底面には「Ｕ」型金属製台座が設けられ、印刷メインボードは金属製台座内に位置する。
【００１６】
ＰＯＳ機器に防水機能を持たせるとともにより美しく見えるようにするために、前記箱型ラック外にはプラスチック製台座が嵌められ、当該プラスチック製台座は、底部がくりぬかれ、側面に周辺装置のインターフェースを用意する。
【００１７】
本実用新案による組み込み式タッチ型ＰＯＳ機器は、箱形ラック体と、箱形ラック体の頂部に可動的に架設されたラック蓋とからなるラックを利用し、タッチパネルをラック蓋表面に配置し、印刷ヘッドをラック蓋底面に配置し、印刷本体と印刷紙ロールをラック体内に配置することにより、タッチパネルとプリンタを一体に形成させる。ラック蓋がラック体に係合するとき、印刷本体は印刷ヘッドの直下に位置するため、タッチパネルの操作や視認を容易にするとともに、プリンタの正常動作を妨害しない。プリンタの紙ロール交換又はメンテナンスが必要となる場合、可動ラック蓋を開ければよい。本実用新案によるＰＯＳ機器は、コストが低く、構造が合理的であり、全体的に美しくてコンパクトであり、占用面積が小さいだけではなく、タッチパネルが、入出力、遠隔送受信を一体に集約した機能を有するため、資金が少なく、営業面積も限られる小型業者には特に有用である。これら業者は本実用新案によるＰＯＳ機器をフロントに設置しながら、コロケーション（colocation）によってバックステージ管理を行うことで、遠隔の注文、発注又は勘定決済を簡単に実現することができる。
【図面の簡単な説明】
【００１８】
【図１】本実用新案による組み込み式タッチ型ＰＯＳ機器の構造模式図である。
【図２】ラックの構造模式図である。
【図３】印刷メインボードをラック底面に取付けた構造模式図である。
【図４】本実用新案による組み込み式タッチ型ＰＯＳ機器の各部品の結合の断面図である。
【図５】本実用新案による組み込み式タッチ型ＰＯＳ機器の各全体構造の分解斜視図である。
【図６】本実用新案による組み込み式タッチ型ＰＯＳ機器の別の使用形態である。
【図７】本実用新案による組み込み式タッチ型ＰＯＳ機器と周辺装置との接続構造図である。
【考案を実施するための形態】
【００１９】
図１、２、３、４に示すように、本実用新案による組み込み式タッチ型ＰＯＳ機器は、タッチパネル付きのディスプレイと、プリンターと、タッチパネル及びプリンターを固定するための取付ラックとを含む。タッチパネル１は、電源モジュール、無線送受信モジュール、情報データ処理モジュール、情報データ記憶モジュール、情報入出力モジュール及び表示モジュール（図示せず）を含む。プリンターは印刷ヘッド２１、印刷本体２２、印刷紙ロール２３及び印刷メインボード２４を含む。印刷メインボードは、電源モジュール、データ処理モジュール、データ通信モジュール、データ記憶モジュール、モータ駆動モジュール、印刷ヘッド駆動モジュール、自動カッター駆動モジュール、音声注意モジュール、センサ入力モジュール、ＵＳＢ・ネットワーク拡張モジュール及びキャッシュドロアー駆動モジュール（図示せず）を含む。取付ラック３は箱形ラック体３１と、反転可能なラック蓋３２とを含む。箱形ラック体は縦向き板と横向き板とからなる。縦向き板は３枚を有し、そのうちの１枚は、頂部に回転軸３３が設けられてラック蓋の１側辺とヒンジ連結を形成するヒンジ連結板３１１であり、ほかの２枚は、ヒンジ連結板の両側にそれぞれに位置し且つヒンジ連結板に垂直する左右側板３１２である。左右側板は横向き板３１３よりも長さが小さく、かつその頂部は、ヒンジ連結点から離れた方向に向って低くなる斜面を有する。ヒンジ連結板には、リード線用孔３１４及び電源スイッチ３１５が設けられ、横向き板の前端は前下方に折り曲げられて傾斜する支持面３１６を形成する。取付ラックのラック体内にはプラスチック製中部枠４がセットされ、当該プラスチック製中部枠４には、印刷紙ロールを収容するための凹み室４１と、印刷本体を内蔵するための四角い穴４２とが設けられている。プラスチック製中部枠の頂部には、箱形ラック体の縦向き板頂部と横向き板に架設可能な外方反り縁４３が設けられる。図5に示すように、印刷紙ロールを収容するための凹み室はラック体のヒンジ連結板に近い。タッチパネル１はラック蓋の頂面に取付けられ、かつ縦向きの視認角度を呈する。即ち、表示パネルの上下側辺の長さは左右側辺の長さより小さい。ラック蓋の前端に蓋開け用取っ手３２１が設けられ、印刷ヘッド２１はラック蓋の底面に取り付けられるとともに、蓋開け用取っ手の後方に位置する。印刷ヘッドの近傍にはプラテン５が設けられ、印刷紙ロール２３はプラスチック製中部枠の凹み室内に取付けられる。印刷本体２２はプラスチック製中部枠の四角い穴に取付けられるとともに、印刷ヘッドの直下に位置する。印刷本体とラック体の横向き板との間には印刷本体ホルダ６がさらに設けられる。当該ホルダは、印刷本体の傾斜角度を調整することでそれを印刷ヘッドによりよくあわせるためのものである。印刷メインボード２４はラック体横向き板の底面に取付けられる。横向き板の底面は、印刷メインボードの外周に下方へ延出する３面の縦向き側壁３１７を有し、そのうちの１面はラック体のヒンジ連結板と同一方向を有し、ほかの２面はラック体の左右側板と同一方向を有する。ヒンジ連結板と同一方向を有する縦向き側壁には、ＰＯＳ機器周辺装置のインターフェース３１８が設けられ��左右側板と同一方向を有する縦向き側壁にはリード線用孔３１９が設けられる。印刷メインボードを保護して各部品をよりよく遮蔽するために、印刷メインボードの外周に「Ｕ」型金属製台座７を嵌める。ＰＯＳ機器を美しく見えるようにするために、箱形ラックの外周にプラスチック製台座８を嵌める。当該プラスチック製台座は、底部がくりぬかれ、側面に周辺装置インターフェース８１を用意する。
【００２０】
上記組み込み式タッチ型ＰＯＳ機器は卓上に置かれることもでき、図６に示すように壁掛けフックを介して壁に掛けられることもできる。
【００２１】
上記は、本実用新案による組み込み式タッチ型ＰＯＳ機器の１実施例の具体的な説明のみである。当該実施例は、本実用新案の保護範囲を制限するためのものではない。例えば、ラックのラック蓋が水平移動又は突き上げる開け方式を用いることのような、本実用新案の技術案から離れない等価実施又は変更は、いずれも本実用新案の範囲内に含まれるべきである。
【００２２】
本実用新案による組み込み式タッチ型ＰＯＳ機器１００は開放システムを有し、多種のフラットホームや応用ソフトに応用できるとともに、キャッシュドロアー２００、広告スクリーン３００、顧客パネル４００及び暗号キーボード５００などのような多くの周辺装置に接続されることができる。さらに、ＩＣカード、銀行カード信用照会端末を用いることができ、ワンマシンでも、ネットワーキングでも、インターネットに接続されてもよい。図７に示すように、その応用範囲は以下のものを含む。
【００２３】
１．ワンマシン／ネットワーキング使用――店の勘定に使用
ワンマシンの場合、カードリーダーなどの周辺装置に接続し、マウスとキーボードの代わりにタッチ方式を用いることにより、勘定などの操作を実現する。クラウドサーバーと併用し、店の毎日の営業データをクラウドサーバーに保存することもできる。店主は、いつでもクラウド端末から諸表情報を読んで調べることができる。
【００２４】
２．ネットワーキング使用１――コンビニ、飲食店の宅配の受注に使用
携帯端末の注文書情報はクラウドサーバーに送信される。本実用新案による組み込み式タッチ型ＰＯＳ機器は動作してインターネットに接続した状態では、クラウドサーバーから送信してきた注文書情報を自動的に受け取り、引受、拒絶又は返信を行う。組み込み式タッチ型ＰＯＳ機器内のプリンターは、結果に基づいて伝票を印刷する。注文書の作製が完了した後、周辺装置である走査ガンを用いて伝票上のバーコードを走査し、注文書の処理流れを完成する。この過程では、組み込み式タッチ型ＰＯＳ機器は各段階の結果をクラウドサーバーに送信し、サーバーはまた、情報を相応のユーザー携帯に送信する。
【００２５】
３．ネットワーキング使用２――電子メニューによる注文に使用
ユーザーはワンマシンで注文を完成してバックステージサーバーに提出すると、レストランは普通のＰＣで新しい注文書の情報を調べることができ、注文完了→伝票印刷→キッチン送達のような過程を節約することができる。製作が完成した後、さらに注意を促すことができる。
【００２６】
４．ネットワーキング使用３――食堂予約注文機
社員食堂を持つ会社では、特に社員が多い会社では、社員が食事するために並んで順番を待つことは多くの休憩時間を取ってしまう。本実用新案によるＰＯＳ機器を用いると、社員は並ぶ前に、まずタッチパネルで自分の好みの料理を選択することができる。食堂の従業員は別の端末で社員の注文内容を見て、社員が並んで順番を待つ時間を利用して前もって料理を用意することができる。時間を節約するとともに、無駄な交流障害を避けることができる。
【００２７】
５．ネットワーキング使用４――番号発券機
銀行ロビー又は人気飲食店では、ピーク時期に行列ができることはよくある。本実用新案によるＰＯＳ機器に所定のソフトをインストールした後、顧客は当該ＰＯＳ機器のタッチパネルで相応のサービスを選択することができる。当該ＰＯＳ機器のプリンターは顧客のために番号シートを印刷することができ、関連業務の取扱を便利にすることができる。
【図１】
0003199311.tif 000003
【図２】
0003199311.tif 000004
【図３】
0003199311.tif 000005
【図４】
0003199311.tif 000006
【図５】
0003199311.tif 000007
【図６】
0003199311.tif 000008
【図７】
0003199311.tif 000009